(57)【要約】      （修正有）【課題】広範囲の厚さの布地に対応可能なハトメを提供する。【解決手段】カーテンの頭付け部分に設けられた穴に取り付けるためのハトメであって、フランジ５，１１を有する２つの環状ハトメ構造体１，９から成る.これらの構造体は、これらフランジが異なる間隔で離れていても、ラチェット構造４ａ，１７ａを介して噛み合う。このラチェット構造４ａ，１７ａは、中央の軸状チューブ状部分２，１０に溝が設けられた対向する２つの軸面であってもよい。一方のフランジは複数の釘７ａを有していてもよく、この釘はカーテン頭付けを貫通し、他方のフランジの溝１６にはまり、カーテン頭付けにハトメを固定する。【選択図】    図３
2005046615.tif 000002
【特許請求の範囲】
【請求項１】
布地の穴に取り付けるためのハトメであって、このハトメが第１及び第２の環状ハトメ構造体から成り、これらの構造体がそれぞれお互いに噛み合って結合するような構成を有し、またこれらの構造体がそれぞれそれらの間に上記布地を保持するためのフランジを有し、更にこれらフランジが異なる間隔で噛み合って結合するような構成を有することを特徴とするハトメ。
【請求項２】
前記構成が第１ラチェット部品と第２ラチェット部品から成る請求項１に記載のハトメ。
【請求項３】
前記２つのラチェット部品がそれぞれ溝面を有する請求項２に記載のハトメ。
【請求項４】
前記構造体の位置を保持するために保持手段が用いられている請求項１〜３のいずれか一項に記載のハトメ。
【請求項５】
前記保持手段が一方の構造体上に設けられた複数の突出した針又は釘を有する請求項４に記載のハトメ。
【請求項６】
前記針又は釘が他方の構造体の受け口と協働する請求項５に記載のハトメ。
【請求項７】
前記針又は釘及び受け口がフランジ上に設けられている請求項６に記載のハトメ。
【請求項８】
前記針又は釘が一方のフランジの円周方向に配列されており、前記受け口が他方のフランジの円周方向に配列されている請求項７に記載のハトメ。
【請求項９】
各構造体が、その一端に放射状に伸びるフランジと結合した軸状チューブ状部分を有し、その他端に自由突起物を有し、前記噛み合い構成がこのチューブ状部分に設けられ、一つのチューブ状部分が他方のチューブ状部分の中に軸状にはめ込まれる請求項１〜８のいずれか一項に記載のハトメ。
【請求項１０】
各フランジが放射状の壁とその外周囲に内曲がりの縁とを有する"ふた(cap)"の形状をしている請求項１〜９のいずれか一項に記載のハトメ。
【請求項１１】
カーテン頭付けテープが取付けられたカーテン頭付け及びこのカーテン頭付けとテープを通して空けられた一列に並んだ複数の穴から成る組立体であって、この一列に並んだ穴に請求項１〜１０のいずれか一項に記載の複数のハトメが取付けられた組立体。
【発明の詳細な説明】
【技術分野】
【０００１】
この発明は、布地類の穴に取り付ける"ハトメ"に関する。このハトメは、カーテン掛け用の棒に通すためのカーテンの頭付けの穴に用いられるが、これに限られない。
【背景技術】
【０００２】
カーテン用の棒に掛けるカーテンは、通常カーテンの布地の頭付け(heading)部分に縫い付けられたか又は固定された"カーテン頭付けテープ"を有しており、このテープには一列に並んだ複数の穴が設けられている。このテープは、この一列に並んだ穴に固定された"ハトメ"を補強している。
公知の配置例をひとつ挙げる。第１のハトメ構造体が、両側に間隔のあいた複数の周辺フランジを有する環状をしており、テープ材がその複数の周辺フランジの間に挟まれるように頭付けテープの穴に予め固定されている。第２のハトメ構造体が、一方の側に周辺フランジを有する環状挿入体の形状をしている。第２のハトメ構造体が、カーテン材の各穴に押し込まれると、上記第１のハトメ構造体と噛み合って結合し、カーテン材が第２構造体の周辺フランジと第１構造体の周辺フランジとの間に挟み込まれる。
異なるカーテン材は様々な厚さを有しているため、この公知の配置には、全ての厚さのカーテン材について、上記第２のハトメ構造体が簡単に且つ確実に第１の構造体と結合することが出来ないという問題がある。
【発明の開示】
【発明が解決しようとする課題】
【０００３】
本発明の一つの目的は、広範囲の厚さの布地の穴内に簡単且つうまい具合に取りつけることが出来るハトメを提供することである。
【課題を解決するための手段】
【０００４】
即ち、本発明は、布地の穴に取り付けるためのハトメであって、このハトメが第１及び第２の環状ハトメ構造体（１，９）から成り、これらの構造体がそれぞれお互いに噛み合って結合するような構成を有し、またこれらの構造体がそれぞれそれらの間に上記布地を保持するためのフランジ（５，１１）を有し、更にこれらフランジが異なる間隔で噛み合って結合するような構成（４ａ，１７ａ）であることを特徴とするハトメである。
このような構成であるため、このハトメは異なる厚さの布地材料に簡単に取りつけることができる。更に、このハトメ構造体は、使用するまで布地材料から完全に分離される得るため、これを使った製造を簡単に行うことが出来る。
環状ハトメ構造体に関しては、完全な環状であることが好ましいが、部分的に環状であるだけ又はその類似構造であってもよく、又周辺部も環状であることが好ましいが、必ずしも連続していなくともよい。
【０００５】
フランジに関しては、完全な周辺フランジであることが好ましく、少なくとも実質的に放射状に環状末端部にまで伸びていることが好ましい。しかし、部分的周辺フランジ又は同様形状であってもよく、不連続に放射状に末端周辺に伸びているものでもよい。
上記噛み合い構成に関しては、如何なる適当な形状を採用してもよい。一例として、第２の歯止め（ラチェット）又は多段の階段状部品に設けられた１又はそれ以上の突起及び/又は溝と結合可能な、軸方向に間隔の空いた溝及び/又は突起又は爪を有する第１の歯止め（ラチェット）又は多段の階段状部品、又はその他の協働構造体から成る構成を挙げることができる。
【０００６】
この構成に加えて、これらの構造体の位置保持を助けるための、例えば、布地材料に対する相対的回転を防止するための保持手段（７ａ）を有してもよい。このような構成において、一方の構造体が１若しくはそれ以上の突起した針又は釘を有し、これが他方の構造体に設けられた１若しくはそれ以上の受け穴、くぼみ又は溝と協働し、使用時にはこの針や釘が布地材料を貫通するように配置される。
このような針又は釘が、ハトメ構造体の一方のフランジ上に設けられ、これら受け穴、くぼみ又は溝が他方のフランジ上に設けられてもよい。
一つの実施態様において、一方のフランジに円周方向に複数の針又は釘が間隔を空けて設けられ、これらが他方のフランジ上に円周方向に配列した溝と協働してもよい。
【０００７】
特に好ましい態様においては、各構造体が、その一端に放射状に伸びるフランジと結合したチューブ状部分を有し、その他端に自由突起物（釘等）を有し、チューブ状部分が噛み合い構成となっており、この一つのチューブ状部分が他方のチューブ状部分の中に軸状にはめ込まれる。
各フランジは放射状の壁とその外周囲に内曲がりの縁とを有する"ふた(cap)"の形状をしている。
【０００８】
この２つのハトメ構造体は、それぞれプラスチック製の一体成形部品であってもよく、これらは如何なる適当な色や肌合いの材料から形成されたものであってもよい。
本発明のハトメは、カーテン頭付けに用いられてもよい。例えば、カーテン掛け棒を受け入れるための、カーテン頭付けテープとこのテープが取付けられたカーテン材料を貫通する一列に並んだ穴に用いられてもよい。これらは特に現在出願中の我々の特許出願に記載されている。
しかし、本発明はこの例に限定されない。このハトメは如何なる適当な織物やその他の布地材料に適当な目的で用いることができる。
【発明を実施するための最良の形態】
【０００９】
以下、本発明を図面を用いて例証する。
図１と図２は、本発明のハトメの一形態の第１及び第２構造体の透視図である。図３〜６は組み合わされたハトメの断面図とその部分拡大図である。
図１はハトメ構造体１を示し、一体成形されたプラスチック製リングの形状をしている。
このリングは中央に同軸の開放チューブ状部分２を有し、このチューブ状部分２は軸状平行平面３を有し、断面は環状である。
外面４は通常軸状平行であるが、環状部品の長さ方向に沿って等間隔に形成された曲線断面の同軸の溝の積層体４ａを有する。
【００１０】
チューブ状部分２の一端には、一体となった円周フランジ５があり、このフランジ５は連続して円形であってチューブ状部分２と同軸の外周６を有する。
フランジ５は、通常平板で放射状に広がる壁７を有し、その周囲に内側に曲がった縁８を有する。このため、フランジ５はチューブ部分２の方向に開放したふた(cap)の形状をしている。
チューブ部分２と円形同軸であるこのふた(cap)内部の規則的に配置された位置に、壁７に釘７ａが一体となって取付けられており、この釘７ａはチューブ部分２の方向に縁８より突起している。
【００１１】
図２は第２ハトメ構造体９を示す。図１と同様に、このハトメ構造体９は同軸の開放チューブ状部分１０を有し、このチューブ状部分１０は一端にフランジ１１を有し、このフランジ１１は平板で放射状に広がる壁１２と内側に曲がった縁１３を有し、その結果ふた(cap)形状をしている。
ふた(cap)１３内部には、２つの同軸壁１４と１５があり、縁１３と同じ高さであり、その結果これらの間に溝１６が形成され、チューブ部分１０の方向に開放している。
チューブ部分１０は曲線断面の積層体１７ａを有し、この積層体１７ａはチューブ部分の溝に似ているが、チューブ部分１０の内面１７上に設けられている。チューブ部分１０の内面１８は軸状平行平面である。
第２構造体９のチューブ部分１０は第１構造体１のチューブ状部分２よりも広く、即ち、チューブ部分１０の内径はチューブ状部分２の外径にほぼ等しい。
【００１２】
図３〜６に示すように、第２構造体のチューブ状部分１０の中に第１構造体１のチューブ状部分２が入って、積層体４ａと積層体１７ａとがお互いに噛み合うように、即ち、一方の積層体の突起が他方の積層体の溝と噛み合うように、２つの構造体１，９は圧力ばめされる。
積層体４ａと積層体１７ａとはラチェットのように機能し、そのため、２つの構造体１，９は、積層体４ａと積層体１７ａの噛み合う突起と溝とによって決まる異なった間隔で、２つのフランジ５，１１によって保持される。この２つの積層体４ａ，１７ａの突起と溝は似た断面を有し、チューブ状部分２，１０の材質はわずかに弾性であるため、チューブ状部分２はチューブ状部分１０の中に異なる深さではまり、強く押したり引いたりしない限り、この決められた深さで保持される。
【００１３】
本発明のハトメが、テープとカーテン頭付けとに空けられた一列に並んだ穴のある布地製カーテン頭付けテープを有する布地製のカーテンの頭付けに用いられた場合、一方の構造体１をカーテン頭付けの穴に通してハトメ構造体を押し、かつテープの穴ごしに他方の構造体９を押しつけることによって、２つのハトメ構造体がお互いに結合する。
完全に押しこまれた場合、カーテンとテープ材料は、布地に接する縁８，１１の自由端によって、２つのフランジ５，１１の間にしっかりと保持される。
【００１４】
この配置において、釘７ａはこの布地材料を貫通して溝１６に入り、その結果ハトメをこの位置に保持し、ハトメが材料に対して回転することを防止する。
この実施態様において、ハトメは、容易に製造することの出来るこのハトメとテープの構成を利用することによって、広範囲の厚さを有するカーテンとテープの中に一列に並んだ穴に容易に取付られることができる。
以上、本発明を上記実施態様を用いて例証したが、これらは単に本発明を説明するために記載されたものであり、本発明を限定することを意図するものではない。
【図面の簡単な説明】
【００１５】
【図１】第１構造体の透視図を示す図である。
【図２】第２構造体の透視図を示す図である。
【図３】組み合わされたハトメの断面図を示す図である。左は部分拡大図を示す。
【図４】組み合わされたハトメの断面図を示す図である。左は部分拡大図を示す。
【図５】組み合わされたハトメの断面図を示す図である。左は部分拡大図を示す。
【図６】組み合わされたハトメの断面図を示す図である。左は部分拡大図を示す。
【符号の説明】
【００１６】
１  第１環状ハトメ構造体
２，１０  チューブ状部分
４ａ，１７ａ  積層体（噛み合い構成）
５，１１  フランジ
７ａ  突起物（針又は釘）
８，１１  縁
９  第２環状ハトメ構造体
１６  溝
【図１】
2005046615.tif 000003
【図２】
2005046615.tif 000004
【図３】
2005046615.tif 000005
【図４】
2005046615.tif 000006
【図５】
2005046615.tif 000007
【図６】
2005046615.tif 000008
【外国語明細書】
2005046615000001.pdf